【手続補正書】
【提出日】平成30年8月9日(2018.8.9)
【手続補正１】
【補正対象書類名】明細書
【補正対象項目名】０００７
【補正方法】削除
【補正の内容】
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１１
【補正方法】変更
【補正の内容】
【００１１】
上記した目的を達成するために、本発明にかかる遊技機は、複数種類の図柄を可変表示する可変表示列を複数有する表示手段と、前記可変表示列それぞれの可変表示を停止させる停止操作手段とを備え、全ての前記可変表示列が停止したときの図柄組合せに応じて遊技者に特典を付与する遊技機において、遊技の進行を制御するメイン制御手段と、前記メイン制御手段から送信される情報に基づき遊技の進行に合わせた演出の制御を行うサブ制御手段と、前記メイン制御手段に基づいて所定情報を報知する報知手段と、前記サブ制御手段に基づいて演出を行う演出実行手段とを備え、前記メイン制御手段は、前記停止操作手段の操作手順によって遊技者に付与する有利度の異なる特定役と、前記停止操作手段の操作手順によって遊技者に付与する有利度に変化のない所定役とを含む複数の役のいずれに当選したか否かを決定する役抽選を行う役抽選手段と、第１状態を含む複数の状態のうちのいずれかの状態を決定する状態決定手段と、前記役抽選手段の決定結果および前記状態決定手段の決定結果に基づいて、前記報知手段の報知態様を決定する報知態様決定手段と、前記サブ制御手段に前記役抽選手段の決定結果および前記報知態様決定手段の決定結果を特定可能な情報を送信する情報送信手段と、前記役抽選手段の決定結果および前記停止操作手段の操作に基づいて前記可変表示列の停止制御を行う停止制御手段とを備え、前記サブ制御手段は、前記情報送信手段により送信された情報を受信する情報受信手段と、前記情報受信手段で受信した情報に基づいて前記演出実行手段の制御を行う演出制御手段とを備え、前記報知態様決定手段は、前記役抽選手段の決定結果が前記停止操作手段の操作手順によって遊技者に付与する有利度の異なる特定役であり、前記状態決定手段の決定結果が前記第１状態である第１パターンのときに、遊技者に有利となる操作手順が特定可能となる情報である第１報知態様を決定し、前記役抽選手段の決定結果が前記停止操作手段の操作手順によって遊技者に付与する有利度に変化のない所定役であり、前記状態決定手段の決定結果が所定条件を満たしている第２パターンのときに、一の操作手順が特定可能となる情報である第２報知態様を決定し、前記演出制御手段は、前記情報受信手段で受信した情報が前記第１報知態様であるときに、遊技者に有利となる操作手順が特定可能な第１操作手順報知演出を前記演出実行手段が必ず行うように制御し、前記情報受信手段で受信した情報が前記第２報知態様であるときに、前記一の操作手順が特定可能な第２操作手順報知演出を前記演出実行手段が必ず行うように制御するものであり、決定され得る全ての前記第１報知態様から特定可能な操作手順の種類は全部でｎ（ｎは２以上の自然数）種類ある一方（例えば、図１２に示す報知種類「１」〜「６」）、前記報知態様決定手段は、前記ｎ種類の操作手順を均等に選択することなく偏りが生じるように前記一の操作手順を選択（例えば、図１３の押し順不問ベル当選時に、図２４（ａ）に示すように報知種類「１」〜「５」から一を選択）することで、前記第２報知態様を決定することを特徴としている。
【手続補正５】
【補正対象書類名】明細書
【補正対象項目名】００１２
【補正方法】変更
【補正の内容】
【００１２】
この構成によると、サブ制御手段や演出実行手段が故障したり、改造された場合には、報知手段の報知内容と演出実行手段の演出内容とが互いに関連のない内容となるので、サブ制御手段や演出実行手段の故障や不正改造を容易に発見することができる。また、サブ制御手段や演出実行手段に何らかの異常が生じて、演出実行手段が例えば操作順序示唆演出を行えない状態であっても、報知手段の操作順序特定可能報知態様を確認することで、特定小役の有利な操作順序を認識することができる。その結果、遊技を中断してサブ制御手段を修理しなくても、予め遊技機に設定されているメダルの払出率を担保することができ、遊技者に不当な不利益が及ぶのを未然に防止することができる。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】特許請求の範囲
【補正対象項目名】全文
【補正方法】変更
【補正の内容】
【特許請求の範囲】
【請求項１】
複数種類の図柄を可変表示する可変表示列を複数有する表示手段と、前記可変表示列それぞれの可変表示を停止させる停止操作手段とを備え、全ての前記可変表示列が停止したときの図柄組合せに応じて遊技者に特典を付与する遊技機において、
遊技の進行を制御するメイン制御手段と、
前記メイン制御手段から送信される情報に基づき遊技の進行に合わせた演出の制御を行うサブ制御手段と、
前記メイン制御手段に基づいて所定情報を報知する報知手段と、
前記サブ制御手段に基づいて演出を行う演出実行手段とを備え、
前記メイン制御手段は、
前記停止操作手段の操作手順によって遊技者に付与する有利度の異なる特定役と、前記停止操作手段の操作手順によって遊技者に付与する有利度に変化のない所定役とを含む複数の役のいずれに当選したか否かを決定する役抽選を行う役抽選手段と、
第１状態を含む複数の状態のうちのいずれかの状態を決定する状態決定手段と、
前記役抽選手段の決定結果および前記状態決定手段の決定結果に基づいて、前記報知手段の報知態様を決定する報知態様決定手段と、
前記サブ制御手段に前記役抽選手段の決定結果および前記報知態様決定手段の決定結果を特定可能な情報を送信する情報送信手段と、
前記役抽選手段の決定結果および前記停止操作手段の操作に基づいて前記可変表示列の停止制御を行う停止制御手段とを備え、
前記サブ制御手段は、
前記情報送信手段により送信された情報を受信する情報受信手段と、
前記情報受信手段で受信した情報に基づいて前記演出実行手段の制御を行う演出制御手段とを備え、
前記報知態様決定手段は、
前記役抽選手段の決定結果が前記停止操作手段の操作手順によって遊技者に付与する有利度の異なる特定役であり、前記状態決定手段の決定結果が前記第１状態である第１パターンのときに、遊技者に有利となる操作手順が特定可能となる情報である第１報知態様を決定し、
前記役抽選手段の決定結果が前記停止操作手段の操作手順によって遊技者に付与する有利度に変化のない所定役であり、前記状態決定手段の決定結果が所定条件を満たしている第２パターンのときに、一の操作手順が特定可能となる情報である第２報知態様を決定し、
前記演出制御手段は、
前記情報受信手段で受信した情報が前記第１報知態様であるときに、遊技者に有利となる操作手順が特定可能な第１操作手順報知演出を前記演出実行手段が必ず行うように制御し、
前記情報受信手段で受信した情報が前記第２報知態様であるときに、前記一の操作手順が特定可能な第２操作手順報知演出を前記演出実行手段が必ず行うように制御するものであり、
決定され得る全ての前記第１報知態様から特定可能な操作手順の種類は全部でｎ（ｎは２以上の自然数）種類ある一方、
前記報知態様決定手段は、前記ｎ種類の操作手順を均等に選択することなく偏りが生じるように前記一の操作手順を選択することで、前記第２報知態様を決定することを特徴とする遊技機。